(57)【要約】【課題】穴を備える対象物に吊具を着脱する際に、対象物の持ち上げや吊具を外すために下ろす位置をずらす等を必要とせず、設置位置で簡易に着脱でき、吊り上げ中に吊具が外れないことと、加えて、吊り上げ時の対象物のゆれも低減できる吊具を提供する。【解決手段】穴を備える対象物の吊り上げに用いられる吊具であって、吊り上げ用のワイヤと連結する軸と、前記軸の下部から水平方向に張出し、前記穴の側壁に接触する当接部を有する張出と、前記軸の下部から前記張出と逆方向に張出し、前記対象物の底面に接触し載せる載置部を有するツメと、からなることを特徴とする吊具の構成とした。【選択図】図３
2020029351.tif 000002
【特許請求の範囲】
【請求項１】
穴を備える対象物の吊り上げに用いられる吊具であって、
吊り上げ用のワイヤと連結する軸と、
前記軸の下部から水平方向に張出し、前記穴の側壁に接触する当接部を有する張出と、
前記軸の下部から前記張出と逆方向に張出し、前記対象物の底面に接触し載せる載置部を有するツメと、
からなることを特徴とする吊具。
【請求項２】
前記張出の当接部の下方が切欠であることを特徴とする請求項１に記載の吊具。
【請求項３】
前記ツメの下方が切欠であることを特徴とする請求項１に記載の吊具。
【請求項４】
前記ツメの上方の前記軸に、前記当接部が接触する前記穴の側壁に対向する他の側壁に当接する突起を設け、前記張出方向において前記側壁との間の隙間をなくし、前記側壁方向の水平を保持することを特徴とする請求項１に記載の吊具。
【請求項５】
前記張出の上方に、前記穴の前記側壁及び他の側壁間と直交する方向の別の両第二側壁に当接するプレートを設け、前記張出方向と直交する方向の前記両第二側壁との間の隙間をなくし、前記両第二側壁方向の水平を保持することを特徴とする請求項１に記載の吊具。
【請求項６】
前記吊具が、対向する前記穴に、２個一対で用いられることを特徴とする請求項１〜請求項５の何れか１項に記載の吊具。
【請求項７】
穴を備える対象物の吊り上げに用いられる吊具であって、
吊り上げ用のワイヤと連結する孔を備える軸と、
前記軸の下部から水平方向に張出し、前記穴の側壁に接触する当接部を有する張出と、
前記軸の下部から前記張出と逆方向に張出し、前記対象物の底面に接触する載置部を有するツメと、からなり、
２個一対で使用され、対向する前記穴位置で前記ツメの載置部に前記底面をそれぞれ載せ、前記張出の当接部を向き合わせ前記穴の側壁にそれぞれ接触させ、前記軸にそれぞれワイヤを連結し、前記ワイヤ２本を２個一対の間の上方で一箇所にまとめて上方向に引き上げることで、係止して、前記穴を備える対象物を吊り上げることを特徴とする吊具。
【請求項８】
前記穴を備える対象物が、穴を備える平板状の版であることを特徴とする請求項１〜請求項７の何れか１項に記載の吊具。
【請求項９】
穴を備える版の吊り上げ方法であって、
吊り上げ用のワイヤと連結する軸と、前記軸の下部から水平方向に張出し、前記穴の側壁に接触する当接部を有する張出と、前記軸の下部から前記張出と逆方向に張出し、前記版の底面に接触し載せる載置部を有するツメと、からなる穴を備える版用の吊具を２個一対で用いて、
対向する前記穴位置で前記ツメの載置部に前記底面をそれぞれ載せ、前記張出の当接部を向き合わせ前記穴の側壁にそれぞれ接触させ、前記軸にそれぞれワイヤを連結し、前記ワイヤ２本を２個一対の間の上方で一箇所にまとめて上方向に引き上げることで、係止して、前記穴を備える版を吊り上げることを特徴とする穴を備える版の吊り上げ方法。
【発明の詳細な説明】
【技術分野】
【０００１】
本発明は、穴を有する版など、穴を備える物体（対象物）用の吊具に関する。
【背景技術】
【０００２】
従来の吊具は、特許文献１等に開示のように、また対象物の側面に設けた吊り上げ用のインサートにボルトで吊具を固定して吊る方法や、吊り上げ用のフック等を対象物に取り付けておいて、それにワイヤのフックを掛けて吊る方法、又は対象物に直接ワイヤを掛けて吊り上げる方法などが行われていた。
【０００３】
対象物に取り付ける吊り上げ用のフック等は、対象物の施工後の外観、機能、美観から、対象物の上面に取り付けることは好ましくない。上面に取り付けた場合は、施工後に平滑化、美化など何らかの処理が必要になる。
【０００４】
また、図１の穴を備える版２０のように穴２０ａがある場合は、穴２０ａにＬ形等のフックを掛けて吊る方法も考えられるが、吊り上げ時に外れる恐れがある。
【０００５】
さらに、従来の吊具では、吊り上げ対象物を吊り上げるとき、特に、図１に示すような穴を備える版２０などの平板状の形態物では、ワイヤを吊り上げ対象物の下に潜り込ませて掛けて吊る。また吊り上げ対象物を所望の位置に移動させた後にも、ワイヤの取り外しの際には、ワイヤが対象物の下に位置するため、再度吊り上げ対象物を持ち上げて外す必要があった。
【０００６】
また、図１に示すような穴を備える版２０などの平板状の形態では、側面にインサートを付け、ボルトにより吊具を取り付けて吊り上げた場合、設置時には吊具を外すスペースが必要となり、吊具を外した後、バールなどを使用して対象物を所定の位置に移動して設置する必要があり、その場合は設置高さの調整が難しいなどの問題もあった。
【０００７】
このように、吊り上げ対象物の移動、設置作業において、フックやワイヤ等の対象物への着脱作業及び移動設置がとても負担であった。また、吊り上げ時の安全性から吊具が外れない構造とすることを考慮する必要がある。
【０００８】
なお、穴を備える版２０とは、雨水浸透性や芝等の植生により緑化する駐車場舗装用などに使用されるコンクリート平板ブロックであり、図１に示すように、平板状のブロックに、規則的に穴２ａを穿設して、枠部２０ｂが格子状になっているものである。
【０００９】
穴を備える版２０の穴２０ａは、ここでは、表面２０ｅより底面２０ｆ側の開口が小さい、縦横ともに断面逆台形であり、長手方向の対向する側面２０ｃと他の側面２０ｃ、それら間に直交する位置にある第二側面２０ｄ、２０ｄは、いずれも水平面に対して表面２０ｅ側が開口した傾斜をしている。本願発明は、特に、このような穴を備える版２０用途に最適な吊具である。
【先行技術文献】
【非特許文献】
【００１０】
【非特許文献１】特開２００２−０４６９７４
【発明の概要】
【発明が解決しようとする課題】
【００１１】
そこで、本発明は、穴を備える対象物に吊具を着脱する際に、対象物の持ち上げや吊具を外すために下ろす位置をずらす等を必要とせず、設置位置で簡易に着脱でき、吊り上げ中に吊具が外れないことと、加えて、吊り上げ時の対象物のゆれも低減できる吊具を提供することを目的とするものである。
【課題を解決するための手段】
【００１２】
そして、本発明は、上記の課題を解決するために、
（１）
穴を備える対象物の吊り上げに用いられる吊具であって、
吊り上げ用のワイヤと連結する軸と、
前記軸の下部から水平方向に張出し、前記穴の側壁に接触する当接部を有する張出と、
前記軸の下部から前記張出と逆方向に張出し、前記対象物の底面に接触し載せる載置部を有するツメと、からなることを特徴とする吊具。
（２）
前記張出の当接部の下方が切欠であることを特徴とする（１）に記載の吊具。
（３）
前記ツメの下方が切欠であることを特徴とする（１）に記載の吊具。
（４）
前記ツメの上方の前記軸に、前記当接部が接触する前記穴の側壁に対向する他の側壁に当接する突起を設け、前記張出方向において前記側壁との間の隙間をなくし、前記側壁方向の水平を保持することを特徴とする（１）に記載の吊具。
（５）
前記張出の上方に、前記穴の前記側壁及び他の側壁間と直交する方向の別の両第二側壁に当接するプレートを設け、前記張出方向と直交する方向の前記両第二側壁との間の隙間をなくし、前記両第二側壁方向の水平を保持することを特徴とする（１）に記載の吊具。
（６）
前記吊具が、対向する前記穴に、２個一対で用いられることを特徴とする（１）〜（５）の何れかに記載の吊具。
（７）
穴を備える対象物の吊り上げに用いられる吊具であって、
吊り上げ用のワイヤと連結する孔を備える軸と、
前記軸の下部から水平方向に張出し、前記穴の側壁に接触する当接部を有する張出と、
前記軸の下部から前記張出と逆方向に張出し、前記対象物の底面に接触する載置部を有するツメと、からなり、
２個一対で使用され、対向する前記穴位置で前記ツメの載置部に前記底面をそれぞれ載せ、前記張出の当接部を向き合わせ前記穴の側壁にそれぞれ接触させ、前記軸にそれぞれワイヤを連結し、前記ワイヤ２本を２個一対の間の上方で一箇所にまとめて上方向に引き上げることで、係止して、前記穴を備える対象物を吊り上げることを特徴とする吊具。
（８）
前記穴を備える対象物が、穴を備える平板状の版であることを特徴とする（１）〜（７）の何れかに記載の吊具。
（９）
穴を備える版の吊り上げ方法であって、
吊り上げ用のワイヤと連結する軸と、前記軸の下部から水平方向に張出し、前記穴の側壁に接触する当接部を有する張出と、前記軸の下部から前記張出と逆方向に張出し、前記版の底面に接触し載せる載置部を有するツメと、からなる穴を備える版用の吊具を２個一対で用いて、
対向する前記穴位置で前記ツメの載置部に前記底面をそれぞれ載せ、前記張出の当接部を向き合わせ前記穴の側壁にそれぞれ接触させ、前記軸にそれぞれワイヤを連結し、前記ワイヤ２本を２個一対の間の上方で一箇所にまとめて上方向に引き上げることで、係止して、前記穴を備える版を吊り上げることを特徴とする穴を備える版の吊り上げ方法。
構成とした。
【発明の効果】
【００１３】
本発明は、以上の構成であるので、以下の効果を奏する。
すなわち、穴を備える対象物、例えば、穴を備える版の吊具は、ワイヤによる吊り上げ力で、当接部が穴を備える版の穴の側壁に押圧係止され、ツメで穴を備える版の底面をささえることができるので、対象物への着脱が容易で、吊具が外れることなく安全である。
【００１４】
さらに、着脱の際に対象物の持ち上げを必要としないため、対象物を吊り上げ設置位置に直接下ろすことが出来、作業者の着脱作業が軽減する。加えて、吊り上げ時の対象物の揺れも低減できる形状、構造を備えているため、吊り上げ作業の安全性が一層向上する。
【図面の簡単な説明】
【００１５】
【図１】本発明である吊具によって吊り上げ可能な対象物である、穴を備える版の説明図である。図１（Ａ）が平面図、（Ｂ）がＡ−Ａ‘矢視断面図である。
【図２】本発明である吊具の第一の実施形態の正面図である。
【図３】本発明である吊具の吊り上げ原理の説明図である。
【図４】本発明である吊具の第二の実施形態の説明図である。図４（Ａ）が正面図、（Ｂ）は平面図、（Ｃ）は底面図、（Ｄ）は左側面図、（Ｅ）は右側面図であり、背面図は正面図と対称に表される。
【図５】本発明である吊具の第二の実施形態で穴を備える版に係止する手順の説明である。
【図６】本発明である吊具の第二の実施形態の使用状態図（Ａ）で、その断面模式図を（Ｂ）に示す。
【発明を実施するための形態】
【００１６】
以下、添付図面に基づき本発明について詳細に説明する。なお、本発明は下記実施例に限定されるものではない。
【実施例１】
【００１７】
図２，３に示すように、本発明の第一の実施形態である吊具１は、軸２と、張出３と、ツメ４とからなり、吊り上げる対象物、ここでは穴を備える版２０の吊り上げに用いられる。
【００１８】
軸２は、吊り上げ用のワイヤ６と連絡する孔２ａを備える。さらに孔２ａには、必要に応じて、ワイヤ６との連結を容易にするリング５などを備える。
【００１９】
張出３は、軸２の下部から水平方向に張出し、穴２０ａの側壁２０ｃに接触する当接部３ａを有する。当接部３ａは、側壁２０ｃに当接し、吊具１の外れを防止する。さらに、当接部３ａの下方に、角を切り落とした切欠３ｂを形成すると、吊具１を穴２０ａに挿入する際に邪魔にならならず、スムーズに装着できる。
【００２０】
ツメ４は、軸２の下部から張出３と逆方向に、ここでは一段低い位置に、腕４ａを介して張出し、穴を備える版２０の底面２０ｆに接触し載せる載置部４ｂを有する。また、載置部４ｂの下方に、角を切り落とした切欠４ｃを形成すると、吊具１を穴２０ａに挿入する際に邪魔にならならず、スムーズに装着できる。
【００２１】
このようにしてなる吊具１は、例えば、図３に示すように、２個一対で、穴を備える版２０の吊り上げに使用される。ツメ４の載置部４ｂに、対向する穴２０位置（左右にずれていても問題ない、前後左右、水平バランスが取れる位置が望ましい。）で底面２０ｆを載せる。
【００２２】
その際、２個一対で、張出３の当接部３ａを向き合わせ、穴２０ａの側壁２０ｃにそれぞれ接触する。孔２ａにそれぞれワイヤ６を接続し、２本のワイヤ６を、２個一対の吊具１の間の上方で一箇所にまとめて、上方向に引き上げる。それにより、吊具１は、穴を備える版２０の底面２０ｆにツメ４が係止し、穴２０ａの側壁２０ｃにその引き上げ力により当接部３ｃが押圧係止され、外れない。
【００２３】
このようにして、吊具１を穴を備える版２０の穴２０ａに挿入して吊り上げると、図３に示すように、Ｌｓ＜Ｌｒ、θ＜９０°、Ｘ＞０、ｈ＞０の前提で、吊り上げ力Ｐは、穴を備える版２０の中央に向かって斜めに引っ張られる。このＰの力によって吊り上げる上方向力Ｐｖと水平方向の力（分力）Ｐｈが作用する。
【００２４】
このＰｈによって吊具１は、ツメ４を中心に回転し、当接部３ａが、穴２０ａの側壁２０ｃに突き当たり、反力Ｒ２が発生し、ツメ４側にそれに対応するＲ３が発生して穴２０ａから外れないように働く。吊具１のツメ４にＲ１の力が作用して吊り上げ力となる。
【００２５】
なお、穴２０ａは、上方に向かって開口している形状であるが、垂直の側壁でもツメの載置部４ｂの基部の位置と当接部３ａの距離が穴の２０ｃの間隔より長く、穴２０ａ内に斜めの状態で収まる長さであれば、同様に係止することができる。
【００２６】
このように、ツメ４の位置と、張出３に水平力が作用することによって、吊具１のツメ４が穴を備える版２０の穴２０ａから外れることが無く、安全に、対象物を吊り上げることができる。なお、対象物の形状によっては、１つの吊具１で吊り上げることもできる。
【実施例２】
【００２７】
図４−６に示すように、本発明の第二の実施形態である吊具１１は、実施例１において、（１）突起２ｂと、（２）プレート３ｃを備える点が異なる。プレート３ｃの幅は、穴２０ａの第二側壁２０ｄとの距離（クリアランス）を少なくした幅とすることによって、吊り上げ時の対象部の揺れを低減できる。その他の点は、実施例１と同様であるので、それらの説明を省略する。
【００２８】
突起２ｂは、穴を備える版２０を地面上に設置した場合にツメ４を外しやすくするためのもので、側壁２ｃに当接させ、てこの原理でツメ４を外す。
【００２９】
プレート３ｃは、張出３の上方に設けられ、穴２０ａの側壁２０ｃと他の側壁２０ｃ間と直交する方向の別の両第二側壁２０ｄの上部に当接する。それにより、張出３の方向と直交する方向の両第二側壁２０ｄとの間の隙間をなくし、両第二側壁２０ｄの方向の揺れを低減させることができる。
【００３０】
このようにしてなる吊具１１は、図５に示す（Ａ）→（Ｃ）の手順によって、穴を備える版２０に、装着、係止される。したがって、穴を備える版２０が地面上に設置された場合は、着脱の際に、穴を備える版２０の持ち上げは必要ない。極めて簡単に、本発明の吊具１１を、穴を備える対象物に係止できる。吊具１も同様である。
【００３１】
一般に、穴２０ａは、平板状の吊具１１の厚みに対して横方向に幅が広い。吊り上げ時に、穴を備える版２０の水平を保持するためには、吊具の穴２０ａ内での傾きを防止する必要がある。
【００３２】
そこで、図６に示すように、吊具１１は、穴２０ａの上部で、プレート３ｃが第二側壁２０ｄに当接し、吊具１１と第二側壁２０ｄとの隙間を少なくし、吊具１１の傾きを抑制する。それにより、吊具１１によって、吊り上げ時、穴を備える版２０の水平を保持して、一層安全な設置作業が可能となる。
【符号の説明】
【００３３】
１      吊具
２      軸
２ａ    孔
２ｂ    突起
３      張出
３ａ    当接部
３ｂ    切欠
３ｃ    プレート
４      ツメ
４ａ    腕
４ｂ    載置部
４ｃ    切欠
５      リング
６      ワイヤ
１１    吊具
２０    穴を備える版
２０ａ  穴
２０ｂ  枠部
２０ｃ  側壁
２０ｄ  第二側壁
２０ｅ  表面
２０ｆ  底面
【図１】
2020029351.tif 000003
【図２】
2020029351.tif 000004
【図３】
2020029351.tif 000005
【図４】
2020029351.tif 000006
【図５】
2020029351.tif 000007
【図６】
2020029351.tif 000008